(57)【要約】  【課題】コストをかけることなく長期間メンテナンスフリーのスノーダクトを構成することおよび既設のスノーダクトに装備可能とする。  【解決手段】略逆容器状に成型した本体の周面に、多数の貫通孔を備え、本体の側周面の貫通孔を、少なくとも本体の鉛直方向の全域に開孔した。  【選択図】図１
2006183299.tif 000002
【特許請求の範囲】
【請求項１】
無落雪屋根におけるスノーダクト用ストレーナであって、
硬質素材を用いて略逆容器状に成型した本体の周面に、多数の貫通孔を備え、本体の側周面の貫通孔は、少なくとも本体の鉛直方向の全域に開孔されていることを特徴とする無落雪屋根におけるスノーダクト用ストレーナ。
【請求項２】
前記硬質素材が硬質の合成樹脂材であることを特徴とする請求項１に記載の無落雪屋根におけるスノーダクト用ストレーナ。
【請求項３】
前記硬質素材が鉄および非鉄金属を含む金属材であることを特徴とする請求項１に記載のスノーダクト用ストレーナ。
【請求項４】
側周面の貫通孔を本体の鉛直方向に互い違いにするとともに、上方の貫通孔の下部位置を下方の貫通孔の上部位置よりも下側にして並べていることを特徴とする請求項１ないし請求項３いずれか１項に記載の無落雪屋根におけるスノーダクト用ストレーナ。
【請求項５】
本体の下端部には、排水口に形成された既設のストレーナがねじ込まれる雌ねじに適合する雄ねじが形成されていることを特徴とする請求項１ないし請求項４いずれか１項に記載の無落雪屋根におけるスノーダクト用ストレーナ。
【請求項６】
本体の下端部には、排水口から屋根内部に挿通される融雪ヒーター用の電線を通す切欠き部を備えていることを特徴とする請求項１ないし請求項５いずれか１項に記載の無落雪屋根におけるスノーダクト用ストレーナ。
【請求項７】
本体の上端部が先端先細り上に形成されていることを特徴とする請求項１ないし請求項６いずれか１項に記載の無落雪屋根におけるスノーダクト用ストレーナ。
【発明の詳細な説明】
【技術分野】
【０００１】
本発明は、無落雪屋根におけるスノーダクト用ストレーナに関する。
【背景技術】
【０００２】
従来、無落雪屋根における融雪排水構造として、屋根の傾斜面の最下部に溝状のスノーダクトを凹設し、この底部にドレンパイプを配管してなるものが公知である。（例えば、特許文献１参照）
ところで、前記のスノーダクトには、融雪水以外にも大小のゴミや土埃さらには落ち葉等が入り込むために、ドレンパイプが詰まりやすく、これが水漏れの要因となっている。
これを解決するために、スノーダクトにオーバーフローを設けたり、スノーダクトの開放部に網を張ったすのこを置いたりすることも試みられている。（例えば、非特許文献１参照）
【特許文献１】特開昭５９‐２１０１４７号（第１ページ右列８行〜１４行、第１図）
【非特許文献１】ＮＰＯ住宅１１０番、‘‘住宅クレーム１１０番’’、［ｏｎｌｉｎｅ］、インターネット<http://npo.house110.com/J110/J1~100/J110_59.html>
【０００３】
しかしながら、オーバーフローを設ける場合には、オーバーフロー用の配管を施工する必要があってコスト増が確実であり、すのこを置く場合には、すのこ自体の腐食による崩壊の可能性もある上に、ホームページ上でも記載されているとおり、網の腐食も生じることから毎シーズンのメンテナンスを要するためコスト増が確実である。
たとえば、木製のすのこを使用する場合には、メンテナンスを確実にしておかないと、腐食によって崩壊し、この崩壊した木片が原因でドレンパイプが詰まってしまう。
【発明の開示】
【発明が解決しようとする課題】
【０００４】
そこで、本発明は、コストをかけることなく長期間メンテナンスフリーのスノーダクトを構成することを課題とし、この課題を解決するスノーダクト用ストレーナの提供を目的とする。
さらに、本発明は前記課題に加えて既設のスノーダクトに装備することを課題とし、この課題を解決するスノーダクト用ストレーナの提供を目的とする。
【課題を解決するための手段】
【０００５】
本発明は前記目的を達成するために下記の技術的手段を採用した。
その技術的手段は、無落雪屋根におけるスノーダクト用ストレーナであって、硬質素材を用いて、略逆容器状に成型した本体の周面に、多数の貫通孔を備え、本体の側周面の貫通孔は、少なくとも本体の鉛直方向の全域に開孔されていることを特徴とする無落雪屋根におけるスノーダクト用ストレーナにした。（第１発明）
前記硬質素材とは、硬質の合成樹脂材(第２発明)や鉄および非鉄金属を含む金属材(第３発明)が例示できる。
また、側周面の貫通孔を本体の鉛直方向に互い違いにするとともに、上方の貫通孔の下部位置を下方の貫通孔の上部位置よりも下側にして並べていることを特徴とするスノーダクト用ストレーナにした。（第４発明）
既設のスノーダクトに装備可能とする技術的手段として、本体の下端部には、排水口に形成された既設のストレーナがねじ込まれる雌ねじに適合する雄ねじが形成されていることを特徴とするスノーダクト用ストレーナにした。（第５発明）
また、融雪ヒータを備えた屋根における既設のスノーダクトに装備可能とする技術的手段として、本体の下端部には、排水口から屋根内部に挿通される融雪ヒーター用の電線を通す切欠き部を備えていることを特徴とする無落雪屋根におけるスノーダクト用ストレーナにした。（第６発明）
さらに、本体の上端部が先端先細り状に形成されていることを特徴とする無落雪屋根におけるスノーダクト用ストレーナにした。(第７発明)
【発明の効果】
【０００６】
第１発明によれば、貫通孔が本体の側周面の鉛直方向全域に開孔してあるので、大小のゴミや土埃さらには落ち葉等の積層物が溜まっても、積層物から露出している上方の貫通孔から融雪水および雨水を排水できる。
第２発明によれば、硬質の合成樹脂材を用いているので、さびの発生がなく腐食にも強く耐久性に優れ、その上軽量であり、さらに、金属材質特有の融雪水による本体への氷着現象を防止することができる。
第３発明によれば、鉄および非鉄金属を含む金属材を用いているので、極めて頑丈であり、非鉄金属の金属材を用いたものであればさびや腐食にも強く耐久性に優れる。
また、鉄の金属材を用いたものであっても、表面に防錆剤等をコーティングすることでさびや腐食に対する耐久性を保持することができる。
第４発明によれば、側周面の貫通孔を本体の鉛直方向に互い違いとするとともに、上方の貫通孔の下部位置を下方の貫通孔の上部位置よりも下側にして並べている（図参照）ので、前記積層物の上面位置にかかわらず常に融雪水および雨水を排水することができる。
第５発明によれば、本体の下端部には、排水口に形成された既設のストレーナがねじ込まれる雌ねじに適合する雄ねじを形成しているので、既設のスノーダクトに簡単に装着することができる。
第６発明によれば、本体の下端部には、排水口から屋根内部に挿通される融雪ヒーター用の電線を通す切欠き部を備えているので、融雪ヒータを備えている屋根構造における既設のスノーダクトに、配線工事を行うことなく簡単に装着することができる。
第７発明によれば、本体の上端部を先端先細り状に形成しているので、害鳥が本体にとまることを防止でき、鳥の糞や羽根等による貫通孔のつまりを防止することができる。
したがって、本発明は、コストをかけることなく長期間メンテナンスフリーのスノーダクトを構成する課題と、既設のスノーダクトに装備する課題を解決することができる。
【発明を実施するための最良の形態】
【０００７】
本発明で云う硬質の合成樹脂材は、特に限定するものではないが、好適には合成樹脂材の中でも耐衝撃性に優れるポリカーボネイト材である。
また、本発明で云う鉄および非鉄金属を含む金属材とは、特に限定するものではないが、好適には鋳物やステンレス材である。
本体の周面とは、上面および側周面である。
貫通孔の径は、少なくともつまり易い大き目のゴミをドレンパイプに至らせないような任意の径とする。
本体の高さは、使用場所の環境に合わせて任意に決定するが、例えば大小のゴミや土埃さらには落ち葉等が多い場所においては、これが約１０年間で３０ｍｍ程度積層するため、本体の高さを３０ｍｍ以上とすれば、少なくとも側周面がすべて積層物で塞がったとしても、融雪水や雨水は上面の貫通孔から排水されるので、約１０年間は掃除やメンテナンスを行わなくてもよい。
【実施例】
【０００８】
以下、本発明にかかるスノーダクト用ストレーナ（以下「ストレーナ」という）１の第１実施例を図１ないし図３に基づいて説明する。
本実施例のストレーナ１は、平面円形を呈する略逆容器形状とし、図２に示すように、スノーダクトＡの上端部近くに至る高さを有する本体１Ａの上面１１と側周面１２に多数の貫通孔２が開孔されている。
また、本体１Ａの下端部１１Ａには既設の排水口Ａ１にねじ込まれる雄ねじ１３が形成されている。
さらに、下端部１１Ａには排水口Ａ１から屋根内部に挿通される融雪ヒーター（図示せず）用の電線Ａ２を通す切欠き部１４が形成されている。
【０００９】
側周面１２の貫通孔２は、図面上、上下方向と左右方向に互い違いに並べられている。
具体的には、奇数段の貫通孔２相互の間に偶数段の貫通孔２の中心線Ｃが位置し、かつ奇数段の貫通孔２の下部位置を偶数段の貫通孔２の上部位置よりも下側にして並べてある。
雄ねじ１３は、本体１Ａの軸心と同芯とする円筒形のものであり、下端部１１Ａに一体に設けられたリング板１３Ａに一体、かつ本体１Ａと連通状に設けられている。
切欠き部１４は、本体１Ａの下端部１１Ａからリング板１３Ａにかけて切欠き形成されている。
このようにしたストレーナ１は、スノーダクトＡにおける排水口Ａ１にねじ込むことによってスノーダクトＡに装着される。（図２および図３参照）
これによって、長期間に亘ってメンテナンスフリーのスノーダクトＡを実現することができる。
【００１０】
前記実施例のストレーナ１は、平面円形を呈するものであるが、本発明はこれに限定するものではなく、例えば、図４に示すように平面六角形を呈するものや図５に示すように平面四角形を呈するものが例示できる。
また、前記実施例のストレーナ１は、図６に示すように本体１Ａの先端部を先端先細り状とする略垂形状に形成したものも例示できる。
本例のストレーナ１は、本体１Ａの先端部１Ｂを略垂形状に形成したことによって、本体１Ａの先端部１Ｂに害鳥がとまるのを防止して、糞や羽根による貫通孔２のつまりを防止することができるものである。
また、本例では、既設の排水口にねじ込まれる雄ねじが形成された構造を例示しているが、本発明では例示したねじ込み取付け構造に限定するものではなく、雄ねじ部分を筒体に換えた差し込み構造やその他の取付け構造としたものでもよい。
なお、詳細な構成の説明については前記実施例と同符号を付すことによって省略する。
【産業上の利用可能性】
【００１１】
本発明のスノーダクト用ストレーナは、屋上やベランダあるいは浴室等の排水口にも適用できる。
【図面の簡単な説明】
【００１２】
【図１】本発明にかかるスノーダクト用ストレーナの一例を示す。
【図２】取り付け状態を示す。
【図３】取り付け状態の詳細を示す。
【図４】本発明にかかるスノーダクト用ストレーナの他の例を示す。
【図５】本発明にかかるスノーダクト用ストレーナの他の例を示す。
【図６】本発明にかかるスノーダクト用ストレーナの他の例を示す。
【符号の説明】
【００１３】
Ａ：スノーダクト
１：スノーダクト用ストレーナ
２：貫通孔
１Ａ：本体
１Ｂ：先端部
１１：上面
１２：側周面
１３：雄ねじ
１４：切欠き部
１１Ａ：下端部
１３Ａ：リング板
Ａ１：排水口
Ａ２：電線
Ｃ：中心線
【図１】
2006183299.tif 000003
【図２】
2006183299.tif 000004
【図３】
2006183299.tif 000005
【図４】
2006183299.tif 000006
【図５】
2006183299.tif 000007
【図６】
2006183299.tif 000008